(57)【要約】      （修正有）【課題】表示装置を構成するための装置および方法は、家庭娯楽システムにおいて表示装置の容易な設置を可能にする。【解決手段】デジタル表示装置を含む最近の家庭娯楽／シアターシステムのフレキシビリティは多数の異なった設置の自由な選択を可能にする。観察スクリーンをプロジェクタ装置と整列させることによりこのような表示装置の設置を容易にする。ＬＣＤまたはＰＤＰのようなフラットパネル表示装置を適切な観察角度で設置することを可能にする。【選択図】図４
2006276834.tif 000002
【特許請求の範囲】
【請求項１】
表示装置上の取付け位置に対応した接続面を有する面板と、
この面板上に配置された固定素子を受けるように構成された複数の穴と、
面板上に配置されたレベル装置とを備えており、
このレベル装置は、面板のエッジが実質的に水平であることを指示している表示装置を取付けるための調節可能なブラケット。
【請求項２】
複数の穴の少なくとも１つの高さは、ブラケット位置の調節を可能にするために固定素子の幅より大きくされている請求項１記載のブラケット。
【請求項３】
複数の穴の少なくとも１つの幅は、ブラケットの位置の調節を可能にするために固定素子の幅より広くされている請求項１記載のブラケット。
【請求項４】
さらに、面板を有しているレベル調節装置を備えている請求項１記載のブラケット。
【請求項５】
設置装置を支持面上に支持するフロアスタンド面と、
このフロアスタンド面に結合され、その支持面の上方にブラケットを支持する表示装置支持面とを備えており、
この表示装置支持面は、フロアスタンド面に実質的に平行であり、
この表示装置支持面は、支持面に実質的に平行な平面上にブラケットの底面を整列させている取外し可能な表示装置設置装置。
【請求項６】
取外し可能な表示装置設置装置は、設置後にブラケットまたは表示装置から取外される請求項５記載の取外し可能な表示装置設置装置。
【請求項７】
支持面に実質的に平行な平面に設置装置を整列させるように支持面上に設置装置を配置し、
設置装置と結合された表示装置を受けるように構成されたブラケット構造を設け、
支持面に実質的に垂直な取付け面に表示装置を固定するために表示装置をブラケット上に取付けるステップを含んでおり、
表示装置のエッジは支持面に実質的に平行である表示装置の取付け方法。
【請求項８】
設置装置およびブラケット構造は、互いに取外し可能に結合されることのできる分離された素子である請求項７記載の方法。
【請求項９】
さらに、設置装置がブラケット構造または表示装置を支持しないように設置装置を取外すステップを含んでおり、
表示装置は、設置装置がこの表示装置を支持面の上方に支持する必要がないように取付け面に強固に取付けられている請求項８記載の方法。
【請求項１０】
設置装置は、ブラケット構造に接続されている請求項７記載の方法。
【請求項１１】
設置装置およびブラケット構造は、単一構造として一体に形成されている請求項１０記載の方法。
【請求項１２】
表示装置を受けるように構成されているブラケットと、
ブラケットに結合されたフロアスタンドとを備えており、
フロアスタンドはブラケットに実質的に平行である表示装置設置装置。
【請求項１３】
表示装置は、支持面に実質的に垂直な取付け表面に表示装置を固定するためにブラケット上に取付けられ、
表示装置のエッジは支持面に実質的に平行である請求項１２記載の装置。
【請求項１４】
フロアスタンドおよびブラケットは、互いに取外し可能に結合されることのできる分離された素子である請求項１２記載の装置。
【請求項１５】
フロアスタンドは、それがブラケットを支持しないように取外され、
表示装置は、フロアスタンドが表示装置を支持面の上方に支持する必要がないように取付け面に強固に取付けられている請求項１４記載の装置。
【請求項１６】
フロアスタンドはブラケットに結合されている請求項１２記載の装置。
【請求項１７】
フロアスタンドおよびブラケットは単一構造として一体に形成されている請求項１６記載の装置。
【発明の詳細な説明】
【技術分野】
【０００１】
本発明は、フラットパネル表示装置を設置することに関する。本発明はまた、最適な観察体験を提供するために単一または複数のコンポーネントを好ましい平面に沿って整列させることに関する。
【背景技術】
【０００２】
本出願は、この明細書においてその全文が参考文献とされている暫定的な米国特許出願第 60/640,085号（2004年12月30日）について優先権を主張している。
【０００３】
つい最近まで、消費者は家庭娯楽またはホームシアターシステムにおける表示装置として典型的に陰極線管テレビジョンを使用するか、それともアナログの大型スクリーン投影テレビジョンを使用するしかなかった。今やデジタル投影技術だけでなく、プラズマ表示装置（ＰＤＰ）および液晶表示装置（ＬＣＤ）のようなフラットパネル表示装置を含む多くのデジタル表示装置の出現により多くの選択肢がホームユーザに与えられている。
【０００４】
通常これらの新しいデジタル表示装置は、それらと同じサイズのアナログ表示装置よりもはるかに軽量で占有スペースが少ない。したがって、それらは多くの異なった方法で設置されることができる。たとえば、フラットパネル表示装置は壁に直接吊り下げられることができ、一方ＤＬＰ（登録商標）プロジェクタは映画のスクリーンと対にされ、スライドプロジェクタのように使用されることができ、あるいは天井に取付けられることができる。これらの設置により、家庭娯楽システムが配置された部屋は確実に大型の機器で占有されなくなる。他方において、これらの装置は設置することが困難である可能性が高く、設置に不慣れな者または自己流で設置したことによる間違の結果、表示装置はわずかに傾斜され、したがって、適切な観察角度で設置されない可能性がある。  
【特許文献１】米国特許出願第 11/198,356号
【発明の開示】
【発明が解決しようとする課題】
【０００５】
したがって、これらのデジタル表示装置の適切な設置を確実にするために設置を容易にすることが必要とされている。その方法によれば、家庭向け娯楽またはホームシアターシステムの獲得および、または設定に十分な時間とお金をかけたユーザは“曲がった”表示装置を押しつけられることはない。その代りに、家庭向け娯楽システムのユーザが依然としてハイエンドマルチメディア体験を享受できるようにデジタル表示装置の設置時の間違を補償する方法を提供することが求められている。
【課題を解決するための手段】
【０００６】
本発明は、適切な角度での表示装置の設置を容易にすることによりこれらの問題を解決することができる。本発明はまた、たとえ表示装置の設置が不適切であっても、適切な整列角度でのビデオの表示を容易にすることができる。本発明は、この明細書においてその全文が参考文献とされている米国特許出願第 11/198,356号（2005年8月8日出願）に記載されているものに類似した統合されたマルチメディアシステムに適しているであろう。
【０００７】
本発明は、表示装置上の取付け位置に対応した接続面を有する面板と、この面板上に配置された固定素子を受けるように構成された複数の穴と、面板上に配置されたレベル装置とを備えた表示装置を取付けるための調節可能なブラケットを提供する。このレベル装置は、面板のエッジが実質的に水平であることを示す。
【０００８】
本発明はまた、設置スタンドを支持面上に支持するフロアスタンド面と、このフロアスタンド面に結合され、その支持面の上方に表示装置を支持する表示装置支持面とを備えた取外し可能な表示装置設置装置を提供する。この表示装置支持面は、フロアスタンド面に実質的に平行である。設置スタンドの表示装置支持面は、支持面に実質的に平行な平面上に表示装置の底面を整列させる。
【０００９】
表示装置を取付ける方法もまた開示されている。この方法は、この支持面に実質的に平行な平面に支持装置を整列させるように支持面上に設置装置を配置し、設置装置と結合された表示装置を受けるように構成されたブラケット構造を設け、支持面に実質的に垂直な取付け面に表示装置を固定するために表示装置をブラケット上に取付けるステップを含んでいる。表示装置のエッジは支持面に実質的に平行である。
【００１０】
さらに、本発明は、表示装置を受けるように構成されたブラケットと、このブラケットに結合されたフロアスタンドとを備えている表示装置設置装置を開示している。フロアスタンドはブラケットに実質的に平行である。
【００１１】
以下の詳細な説明、図面および特許請求の範囲を考慮することにより、本発明の付加的な特徴および実施形態が示され、あるいは明らかになる。さらに、本発明の上述の概要および以下の詳細な説明は単なる例示に過ぎず、特許請求の範囲に記載されている本発明の技術的範囲を制限することなく他の説明を与えるものであることが認識されるであろう。たとえば、本発明はデジタル表示装置の設置に関するある問題を解決するために開発されたが、それは、コンポーネントの整列が望ましい別の適用においておよび別の装置により使用されることができる。
【００１２】
本発明をさらに理解するために含まれている添付図面は、この明細書の一部分を構成し、本発明の実施形態を示し、詳細な説明と共に本発明の原理を説明するように機能する。本発明およびそれが実施される種々の方法を基本的に理解するために、本発明の構造上の細部は必要以上詳細に示さない。
【発明を実施するための最良の形態】
【００１３】
以下、添付図面を参照して説明され、および、または示されている非制限的な実施形態および例を参照して、本発明の実施形態ならびに種々の特徴およびその有用な詳細を詳細に説明する。図面に示されている特徴は常に一定の比率で縮尺されて描かれているわけではないことを認識すべきであり、当業者は、この明細書において明示されていなくても、１つの実施形態の特徴が別の実施形態において使用されてもよいことを認識するであろう。よく知られているコンポーネントおよび処理技術の説明は、本発明の実施形態がいたずらにわかりにくくならないように省略されている。ここで使用されている例は、本発明が実施されることのできる方法の認識を容易にするためのものに過ぎず、さらに当業者が本発明を実施することを可能にするものである。したがって、この明細書の例および実施形態は、添付された特許請求の範囲および適用される法律によってのみ限定される本発明の技術的範囲を制限するものとして解釈されてはならない。さらに、いくつかの図面において類似した参照符号は類似した部品を表していることに注意すべきである。
【００１４】
図１に示されているように、整列システム100は観察スクリーン105および表示装置110を備えている。ここでは、当業者によく知られている典型的な観察スクリーンがスクリーン105として使用され、天井に取付けられたＤＬＰ（登録商標）プロジェクタが表示装置110として使用される。
【００１５】
スクリーン105は、レーザ、無線送信機または別の放射装置であることのできるエミッタ115を備えている。このエミッタ115は、スクリーンの引き上げおよび引き下げを行うためのモータ（示されていない）を備えたスクリーン105のハウジング107上に配置されることができる。電源は小型電池であることができ、あるいはスクリーンがその引き上げおよび引き下げ用のモータを備えている場合にはそのモータを駆動する電源であることができる。表示装置110は、媒体としても知られている放射を受信する受信装置120を備えていることができ、この媒体はエミッタ115からの光、レーザまたは無線信号である。しかしながら、エミッタから送信された信号を使用して表示装置110を手動で配置することができる。
【００１６】
放射を受信した後、受信装置120はそれを整列プロセッサ（示されていない）に送り、この整列プロセッサは、その表示装置110がスクリーン105と適切に整列されているか否かを決定する。受信された放射が処理された後、本発明は、スクリーン105と表示装置110とが整列されているか否かをフィードバックすることができる。このようなフィードバックは、音によって、インジケータ光または表示装置110上の表示スクリーンにより視覚的に、あるいは当業者に知られている別のフィードバック機構により行われることができる。このような整列システム100を使用することにより、表示装置110が観察スクリーン105と適切に整列されているか否かが容易に決定されることができる。
【００１７】
エミッタおよび受信装置の配置は、エミッタ115が表示装置110により含まれ、受信装置120がスクリーン105により含まれるように交換されることができる。このような場合、表示装置110のエミッタから送信された信号を使用してスクリーンを手動で配置することができる。フィードバック機構は、スクリーン105のハウジング107上に容易に設けられることができる。整列システム100の動作原理はこのような構成バリエーションのために変わるものではなく、このような修正は当業者によって理解されるものである。
【００１８】
図２のａおよびｂに示されているように、本発明はまた、観察スクリーン205の水平設置を容易にする装置を開示しており、この装置はレベル装置225を備えている。
【００１９】
ここでは、スクリーン205はハウジング207を備えており、このハウジング207はモータを備えていてもよいし、あるいは備えていなくてもよく、また、ハウジング207上にはレベル装置225が配置されている。レベル装置225はインジケータ230および１対のレベルライン235を備えていてもよい。このレベル装置は典型的なレベルのように動作することができ、レベル装置は、レベルライン235に関するインジケータ230の位置により水平であることを示す。一般に、水平な位置は、インジケータ230がレベルラインの間のほぼ中間に位置したときに示される。レーザレベルを含むその他任意のタイプのレベル装置もまた使用可能であるが、それに限定されない。
【００２０】
したがって、設置者は、レベル装置225を備えたスクリーンを吊り下げたとき、水平であるというレベル装置による表示のためにそのスクリーンが水平であることを知るであろう。
【００２１】
図３および４は、フラットパネル表示装置を壁に吊り下げたときレベル位置表示を提供する類似の方法を示している。
【００２２】
レベル装置325を備えた取付けブラケット300が設けられている。ブラケット300は、フラットパネル表示装置（示されていない）上の予め定められた取付け位置に結合された接続面（示されていない）を有しており、この予め定められた取付け位置は、たとえば、壁上にフラットパネル表示装置を適切に支持するのに適している。表示装置の寸法または所望のブラケットサイズのような多くのファクタに応じて、１以上のブラケットが使用されることができる。図２のｂに示されている実施形態のように、レベル装置325は、レベル装置225と同じ水平位置を示すように動作するインジケータ330およびレベルライン335を備えている。また、レーザレベルを含む任意のタイプのレベル装置が使用可能であるが、それに限定されない。
【００２３】
ブラケット300はまた、フラットパネル表示装置の重量を支持するためにブラケット面板303を壁またはその他の支持表面にしっかり固定するねじのような固定素子311を受けるように構成された取付け穴307を有している。
【００２４】
ここでは、穴307の幅は固定素子311のヘッドより狭くされ、固定素子の本体と実質的に同じ幅であるが、しかし穴307の高さは長くされている。固定素子311は、ブラケットの固定を助けるために座金またはボルトのような別の構造だけでなく固定技術においてよく知られている別の構造も使用されることができる。この構成により、固定素子311は、そのヘッドが面板303と接触したときにブラケット300を壁上にしっかり固定することが可能になる。この構成はまた、固定素子311が緩められたときにブラケット300の位置が調節されることを可能にする。ブラケット、ラッチまたはヒンジを含む少量の調節を可能にするその他任意の機構が使用可能であるが、それに限定されない。
【００２５】
図４に示されているように、レベル装置は水平でない位置を示している。表示装置上の取付け位置はブラケットに適合するように設計されているため、ブラケット300が水平である場合、取付けられた表示装置もまた実質的に水平にならなければならない。したがって、設置者は固定素子311を緩めてブラケットを水平位置に調節することができる。インジケータ330がレベルライン335の間に位置して水平位置を示すまで、１以上の固定素子311を緩めて設置者が面板303を調節できるようにすることができる。その後、設置者はこの固定素子311を締めて水平位置でブラケット300を固定することができる。
【００２６】
このようにして調節機構を有するレベル位置インジケータを設けることにより、水平位置でのフラットパネル表示装置の設置が容易になる。ブラケットが水平に取付けられると、フラットパネル表示装置は、このフラットパネル表示装置とブラケットとの間で接続機構を使用してブラケットに接続されることができる。
【００２７】
図５は、表示プロジェクタに対して調節を行わせるためのシステムを示しており、この調節により、投影された表示は図１に示されているものに類似した観察スクリーン上に整列する。ここでは、調節システム400はスクリーン405と、表示プロジェクタ410と備えており、この表示プロジェクタ410は画像捕捉装置415を備えている。
【００２８】
画像捕捉装置415は、プロジェクタ上に取付けられているが、天井に取付けられてもいよいし、あるいは机上またはコンソール内に配置されてもよい。ここに示されている投影の角度は、机上／コンソール位置からのものである。投影の角度は、プロジェクタが天井に取付けられているときは逆にされる。破線は、プロジェクタ410の投影レンズの光心を示している。ここでは、プロジェクタ410は、レンズに関して３０度の一次投影角度θと５度の２次角度αとを有している。これらの角度は説明のために使用されているに過ぎず、さまざまな大きさであることができる。
【００２９】
ここではカメラである画像捕捉装置415はスクリーン画像を捕捉して、この画像を調節プロセッサ（示されていない）に供給する。調節プロセッサはプロジェクタ410により投影された実際の画像だけでなく、スクリーン画像も処理し、垂直軸（床から天井まで）および水平軸（壁から壁まで）の両方に沿って画像をスクリーン405の中心に位置させるレンズシフタへの信号調節を行うことができる。画像捕捉装置415および調節プロセッサはプロジェクタ410と一体の部分であることもできるし、あるいはプロジェクタ410に付加されることもできる。
【００３０】
図６のａ、ｂおよびｃに示されているように、投影された画像がスクリーン405の中央に位置されるようにプロジェクタ410の全体を移動させる分離装置もまたレンズシフタの代わりに設けられてもよい。たとえば、机／コンソール上のポッド420は突出部分425を使用してプロジェクタ410の引き上げおよび引き下げを行い、それによって垂直軸に沿った調節をすることができ、また、このポッドは水平軸に沿った調節を行うためにプロジェクタ410を回転または傾斜させることができる（示されていない）。図６のａは、垂直調節を行うために位置410’（破線でその輪郭が示されている）に引き上げられたプロジェクタ410を示している。さらに、図６のｂは、水平調節を行うために位置410’’（破線でその輪郭が示されている）に回転されたプロジェクタを示している。
【００３１】
天井に取付けられたプロジェクタ410に対しては、入れ子ポスト430は入れ子部分435を使用してプロジェクタ410の引き上げおよび引き下げを行い、それによって垂直軸調節を行うことができ、また、入れ子ポストはプロジェクタ410を回転させて水平調節を行なうことができる。図６のｃは、垂直調節を行うために位置410’’’（破線でその輪郭が示されている）に引き下げられたプロジェクタ410を示している。
【００３２】
さらに、当業者に認識されるように、これらの素子の組合せが使用可能であり、たとえば、ポッド／ポスト420または430が垂直軸調節のために使用され、レンズシフタが水平軸調節のために使用される。また、たとえば、遠隔制御装置のようなユーザ入力を使用して、投影された画像を手動で調節してそれをスクリーンに適合させることができる。
【００３３】
このようにして調節システム400を使用することにより、観察スクリーン405上に投影された表示の方位付けが容易になる。
【００３４】
図７および９は、床と同じ角度に観察スクリーンまたはフラットパネル表示装置505を取付けるための取外し可能な設置装置515を示している。図８のａ乃至ｄには、取外し可能な設置装置を使用することによるフラットパネル表示装置の設置が示されている。
【００３５】
床は平らでないことが多い。したがって、表示装置が真に“水平”であるならば、それはユーザの視線角度に対して水平にならない。何故ならば、それを見ている者は床のような平らでない支持表面上に立っているか、あるいはそこに置かれた椅子に座っているからである。設置装置515は、設置中に床の角度に対する基準を提供することによりこの問題を解決する。
【００３６】
取外し可能な設置装置515は、互いに平行な表示装置支持面517およびフロアスタンド519を備えている。フロアスタンド519が床520上に置かれ、その結果表示装置支持面517は床520と同じ角度で整列される。したがって、壁530のような取付け面上にブラケット503を使用して表示装置505が設置されている最中に、表示装置505またはブラケット503が表示装置支持面517上に配置されることができる。ブラケット503は、表示装置505の取付け位置の調節を可能にするために図３に示されているブラケットと同じ構成を有していてもよい。
【００３７】
その代りに、ブラケット503は設置装置515に結合されるか、あるいはそれと一体に成形されて単一式ブラケット／設置装置を形成することができる。この構成においては、表示装置支持面517は除去されることが可能であり、また、そのブラケットは床に置かれたフロアスタンド519に結合されているため、床520に対する基準角度が依然として提供される。その結果、ブラケット部分は床の角度と実質的に同じ角度で配置され、それによって表示装置もまたこの床の角度に向けられる。
【００３８】
図８のａは、ブラケット穴507に挿入された固定具511を使用することによりブラケット503が壁530に固定される一方で設置装置の表示装置支持面517上に位置されるブラケット503を示している。表示装置支持面517の奥行きは非常に狭いため、設置装置515は壁530からそれ程離れずに位置される。図８のｂはある場所に固定されたブラケット503を示しており、このブラケット503の底面は、表示装置支持面517の平面、床520上に位置しているフロアスタンド519の一部分、および床自身に対して実質的に平行な平面上に配置されている。一体化された構造では、統合された構造が壁に立て掛けられると、ブラケットは床面と平行に壁に固定される。その後、ブラケットを除いて下方部分は除去されることができる。下方部分はまたその場所に残され、棚としておよびその他の目的のために使用されてもよい。図８のｃは、ブラケット503が固定具511によって壁530に固定されているために取外し可能な設置装置515を取外すことが可能なことを示している。図８のｄは、ブラケット503に適合された表示装置505の事前に設定された取付け位置を使用してブラケット503上に取付けられた表示装置505を示している。表示装置505の下方エッジはブラケット503の下方エッジに実質的に平行であり、したがって床520に対して実質的に平行である。
【００３９】
図９に示されているように、水平平面は平面Ｌで表されている。しかし、表示装置支持面517または表示装置ブラケット503は、床520およびフロアスタンド519の平面Ｌ’と同じ角度である平面Ｌ’’上に配置されている。表示装置505の底面もまた、それが設置スタンド515上に支持されるか、あるいはブラケット503に接続されたときに平面Ｌ’’に沿って配置される。表示装置505が壁530に取付けられた後、設置装置515は取外されることもできるし、あるいは別のマルチメディアコンポーネントを保持するための家具、室内装飾等としてそこに残されることもできる。表示装置505はブラケット503より壁530に取付けられているため、表示装置505を支持するのに装置515はもはや必要ない。表示装置支持面517またはブラケット503は床520と同じ角度をなしているため、表示装置はユーザの視線角度と同じ角度に向けられる。
【００４０】
図１０のａおよびｂには、フラットパネル表示装置505と共に使用される引き下げられた観察スクリーン205が示されており、一方図１１のａおよびｂには、フラットパネル表示装置505と共に使用されるモータを備えたハウジング207内に配置された引き上げられた観察スクリーン205が示されている。観察スクリーン205は、図２のａに示されているレベル装置225を備えていてもよい。
【００４１】
ユーザは、ビデオソースおよび視聴条件に応じて異なったタイプの表示装置を使用したいと望む可能性がある。たとえば、ある視聴者は観察スクリーン205を夜間に、あるいは映画のために使用し、一方フラットパネル表示装置505を日中に、あるいはテレビジョン番組のために使用したいと望む可能性がある。図１０のａには、投影表示装置が使用されたときにフラットパネル表示装置505（破線でその輪郭が示されている）が観察スクリーン205の背後に配置されることができることが示されており、図１０のｂは観察スクリーン205とフラットパネル表示装置505との間の間隙を示している。図１１のａおよびｂは、ユーザがフラットパネル表示装置505を見たいと希望したときにスクリーン205が容易に引き上げられることが可能なことを示している。
【００４２】
上述したように、設置装置515は、壁530からあまり離れずに位置されるように狭い奥行きを必要とする。これは、フラットパネル表示装置505の設置後に取外し可能な設置装置515が取外されない場合にそれがスクリーン205を妨害しないようにおそらく必要であろう。
【００４３】
以上、特定の実施形態を参照して本発明を詳細に説明してきたが、当業者は、添付された特許請求の範囲により規定されている本発明の技術的範囲を逸脱することなく種々の修正および置換を行うことが可能であることを認識するであろう。
【図面の簡単な説明】
【００４４】
【図１】本発明の１実施形態によるプロジェクタおよび観察スクリーンの整列を示す平面図。
【図２】観察スクリーンに含まれたレベル装置の平面図およびこの平面図中の領域“Ａ”の拡大図。
【図３】本発明の別の実施形態による取付けブラケットに含まれたレベル装置の前面図。
【図４】図３の取付けブラケットの動作を示す前面図。
【図５】本発明の１実施形態による画像補正システムを示す側面図。
【図６】本発明の１実施形態によるプロジェクタの垂直調節を示す側面図と、水平調節を示す平面図と、および本発明の別の実施形態による垂直調節を示す側面図。
【図７】本発明の１実施形態による取外し可能な設置装置の側面図。
【図８】図７の取外し可能な設置装置を使用して壁に対してフラットパネル表示装置を取付ける種々の段階を示す斜視図。
【図９】図７の取外し可能な設置装置およびそれに関連した平面の前面図。
【図１０】本発明の１実施形態による引き下げられた観察スクリーンの背後に配置されたフラットパネル表示装置の前面図と、引き下げられた観察スクリーンの側面図。
【図１１】本発明の１実施形態によるフラットパネル表示装置および引き上げられた観察スクリーンの前面図と、引き上げられた観察スクリーンの側面図。
【図１】
2006276834.tif 000003
【図２】
2006276834.tif 000004
【図３】
2006276834.tif 000005
【図４】
2006276834.tif 000006
【図５】
2006276834.tif 000007
【図６】
2006276834.tif 000008
【図７】
2006276834.tif 000009
【図８】
2006276834.tif 000010
【図９】
2006276834.tif 000011
【図１０】
2006276834.tif 000012
【図１１】
2006276834.tif 000013
【手続補正書】
【提出日】平成18年4月25日(2006.4.25)
【手続補正１】
【補正対象書類名】図面
【補正対象項目名】全図
【補正方法】変更
【補正の内容】
【図１】
2006276834.tif 000014
【図２】
2006276834.tif 000015
【図３】
2006276834.tif 000016
【図４】
2006276834.tif 000017
【図５】
2006276834.tif 000018
【図６】
2006276834.tif 000019
【図７】
2006276834.tif 000020
【図８】
2006276834.tif 000021
【図９】
2006276834.tif 000022
【図１０】
2006276834.tif 000023
【図１１】
2006276834.tif 000024
【外国語明細書】
2006276834000001.pdf